(57)【特許請求の範囲】
【請求項１】
コンタクトが収容されるコンタクト収容孔を有し、前面側から相手コネクタに嵌合されるハウジングと、
前記相手コネクタに設けられたカムピンが挿入されるカム溝を有し、前記ハウジング内に収容され、該ハウジング内を移動させることが可能なスライダと、
嵌合開始位置と嵌合完了位置との間で回転させることが可能なレバーと、
を備え、
前記レバーを嵌合開始位置から嵌合完了位置側に向かって回転させることによって、前記スライダが移動されて、前記カム溝が該カム溝に挿入された前記カムピンを前記ハウジングの背面側に向かって引き込み、
前記レバーを嵌合完了位置に配置させることによって、前記スライダが嵌合位置に配置されて、前記相手コネクタとの嵌合が完了するレバー式コネクタであって、
前記ハウジングの前面に、前記スライダが嵌合位置に配置されているときにのみ前記カム溝と連通し、工具を挿入することによって前記ハウジングにおける前記スライダの位置ずれを検出する検査孔が設けられていることを特徴とするレバー式コネクタ。
【請求項２】
前記ハウジング及び前記スライダに、前記スライダを嵌合位置に仮留めする仮留め機構を設けたことを特徴とする請求項１記載のレバー式コネクタ。
【請求項３】
前記ハウジング及び前記スライダに、前記スライダを解除位置に仮留めする仮留め機構を設けたことを特徴とする請求項１又は２記載のレバー式コネクタ。
【発明の詳細な説明】
【技術分野】
【０００１】
本発明は、レバーを回転させることによって相手コネクタとの嵌合及び嵌合の解除を行うレバー式コネクタに関する。
【背景技術】
【０００２】
近年、自動車等の分野で用いられる電気コネクタでは多極化が進んでいる。そして、多極に形成された電気コネクタでは、コネクタ同士の嵌合を行う際及び嵌合を解除する際に大きな力が必要となる。このため、自動車等の分野では、レバーによる倍力効果を利用して相手コネクタとの嵌合及び嵌合の解除を行うレバー式コネクタが使用されている。
従来、レバー式コネクタとして、例えば、図１３に示すものが知られている。
【０００３】
図１３は、従来例のレバー式コネクタの断面図である。
図１３に示すレバー式コネクタ１００は、コンタクト（図示せず）が収容されるコネクタハウジング１１０と、コネクタハウジング１１０に収容された一対のスライダ１２０と、コネクタハウジング１１０に対して回転させることが可能なレバー１３０とを備えている。
【０００４】
コネクタハウジング１１０は、各スライダ１２０を収容するスライダ収容溝１１１を有している。また、コネクタハウジング１１０の背面側には、コネクタハウジング１１０に収容されたコンタクト（図示せず）から導出する電線を覆うワイヤカバー１４０が装着されている。
各スライダ１２０には、相手コネクタ２００のカムピン２１０が挿入されるカム溝１２１が設けられている。また、各スライダ１２０には、後述するレバー１３０のギヤ１３１が嵌合するラック１２２が設けられている。
【０００５】
レバー１３０には、スライダ１２０のラック１２２に嵌合するギヤ１３１が設けられている。
そして、レバー式コネクタ１００では、レバー１３０を回転させることによって、レバー１３０のギヤ１３１がスライダ１２０のラック１２２を駆動し、スライダ１２０が左右方向（図１３における左右方向）に移動される。そして、スライダ１２０が左右方向に移動されることによって、スライダ１２０のカム溝１２１が、カム溝１２１に挿入された相手コネクタ２００のカムピン２１０の引き込み又は押し出しを行う。このように、レバー式コネクタ１００では、レバー１３０を回転させることによって、相手コネクタ２００との嵌合又は嵌合の解除を行うことが可能となっている。
【特許文献１】特開２００６−３３１９９１号公報
【発明の開示】
【発明が解決しようとする課題】
【０００６】
レバー式コネクタ１００を組み立てる際には、まず、スライダ１２０が収容された状態のコネクタハウジング１１０にコンタクトを収容し、その後、ワイヤカバー１４０及びレバー１３０をコネクタハウジング１１０に装着する。
そして、コネクタハウジング１１０にレバー１３０を装着する際には、レバー１３０のギヤ１３１の所定の歯とスライダ１２０のラック１２２の所定の歯とを正しく嵌合させる必要がある。そこで、レバー式コネクタ１００では、スライダ１２０に設けられた凸部（図示せず）をコネクタハウジング１１０のスライダ収容溝１１１に設けられた凹部（図示せず）に嵌合させることによって、スライダ１２０を所定の嵌合位置で仮留めできる構成を採用している。そして、レバー式コネクタ１００では、スライダ１２０を所定の嵌合位置で仮留めした状態でレバー１３０を取り付けることによって、レバー１３０のギヤ１３１とスライダ１２０のラック１２２とを正しく嵌合させることができる。
【０００７】
ここで、近年、レバー式コネクタでは、小型化の要請から、スライダが外観からは見えない状態でハウジング内に収容されるとともに、移動されたスライダがハウジングの外側に突出しない構成が採用されている。
しかしながら、スライダが外観からは見えないタイプのレバー式コネクタでは、ハウジング内におけるスライダの位置を外観から検知することができない。しがたって、スライダが外観からは見えないタイプのレバー式コネクタでは、搬送時の衝撃等によってハウジング内の嵌合位置で仮留めされていたスライダに位置ずれが発生した場合でも、該スライダの位置ずれを検知することができない。そして、レバー式コネクタでは、ハウジング内でスライダに位置ずれが発生している状態でレバーの装着が行われると、レバーのギヤとスライダのラックとが正しく嵌合されず、相手コネクタとの嵌合及び嵌合の解除を行うことができない。
【０００８】
すなわち、スライダが外観からは見えないタイプのレバー式コネクタでは、スライダの位置ずれを外観から検知することができないため、レバーを装着する際に、レバーのギヤとスライダのラックとを正しく嵌合させることができない場合があるという問題がある。
本発明は上記した従来技術の問題を解決するためになされたものであり、その目的は、ハウジング内におけるスライダの位置ずれを検知することが可能なレバー式コネクタを提供することにある。
【課題を解決するための手段】
【０００９】
請求項１に係るレバー式コネクタは、コンタクトが収容されるコンタクト収容孔を有し、前面側から相手コネクタに嵌合されるハウジングと、前記相手コネクタに設けられたカムピンが挿入されるカム溝を有し、前記ハウジング内に収容され、該ハウジング内を移動させることが可能なスライダと、嵌合開始位置と嵌合完了位置との間で回転させることが可能なレバーと、を備え、
前記レバーを嵌合開始位置から嵌合完了位置側に向かって回転させることによって、前記スライダが移動されて、前記カム溝が該カム溝に挿入された前記カムピンを前記ハウジングの背面側に向かって引き込み、前記レバーを嵌合完了位置に配置させることによって、前記スライダが嵌合位置に配置されて、前記相手コネクタとの嵌合が完了するレバー式コネクタであって、
前記ハウジングの前面に、前記スライダが嵌合位置に配置されているときにのみ前記カム溝と連通し、工具を挿入することによって前記ハウジングにおける前記スライダの位置ずれを検出する検査孔が設けられていることを特徴とする。
【００１０】
請求項１に係るレバー式コネクタでは、ハウジングの前面に、スライダが嵌合位置に配置されているときにのみカム溝と連通し、工具を挿入することによってハウジングにおけるスライダの位置ずれを検出する検査孔が設けられている構成によって、検査孔に工具を挿入することでスライダが嵌合位置に存在するか否かを検知することができる。そして、スライダが嵌合位置に存在することが確認された場合には、レバーを嵌合完了位置に配置した状態で装着することによって、レバーのギヤとスライダのラックとを正しく嵌合させることができる。
このように、請求項１に係るレバー式コネクタによれば、ハウジング内におけるスライダの位置ずれを検知することが可能となる。
【００１１】
また、請求項２に係るレバー式コネクタは、請求項１に係るレバー式コネクタにおいて、前記ハウジング及び前記スライダに、前記スライダを嵌合位置に仮留めする仮留め機構を設けたことを特徴とする。
請求項２に係るレバー式コネクタでは、スライダを嵌合位置に仮留めすることが可能となる。したがって、請求項２に係るレバー式コネクタによれば、スライダを嵌合位置に仮留めした状態のハウジングに、嵌合完了位置に配置した状態のレバーを装着することによって、レバーのギヤとスライダのラックとを正しく嵌合させることができる。
さらに、請求項３に係るレバー式コネクタは、請求項１又は２に係るレバー式コネクタにおいて、前記ハウジング及び前記スライダに、前記スライダを解除位置に仮留めする仮留め機構を設けたことを特徴とする。請求項３に係るレバー式コネクタでは、スライダを解除位置に仮留めすることが可能となる。
【発明の効果】
【００１２】
請求項１乃至３のうちいずれか１項に係るレバー式コネクタによれば、ハウジング内におけるスライダの位置ずれを検知することが可能となる。
【発明を実施するための最良の形態】
【００１３】
次に本発明の実施形態であるレバー式コネクタを図面を参照して説明する。
図１は、本発明の実施形態であるレバー式コネクタのレバーが嵌合開始位置に配置された状態を示す斜視図である。図２は、図１に示すレバー式コネクタのレバーが嵌合完了位置に配置された状態を示す斜視図である。図３は、図１に示すレバー式コネクタのハウジングの平面図である。図４は、図３に示すハウジングの正面図である。図５は、レバー式コネクタのハウジングに嵌合される固定工具の正面図である。図６は、図５に示す固定工具の平面図である。図７は、スライダが嵌合位置にあるハウジング及び固定工具を示す斜視図である。図８は、図７に示すハウジング及び固定工具の断面図である。図９は、スライダが嵌合位置にあるハウジングに固定工具が嵌合された状態を示す斜視図である。図１０は、図９に示すハウジング及び固定工具の断面図である。図１１は、スライダが解除位置にあるハウジングに固定工具が嵌合された状態を示す斜視図である。図１２は、図１１に示すハウジング及び固定工具の断面図である。
【００１４】
図１及び図２に示すレバー式コネクタ１は、複数のコンタクト（図示せず）を収容するハウジング１０と、ハウジング１０の背面側（図１及び図２に示す上側）に取り付けられたワイヤカバー２０と、ワイヤカバー２０に取り付けられたレバー３０とを備えている。
ハウジング１０は、図３及び図４に示すように、左右方向（図３及び図４に示す左右方向）に沿って延びるように形成され、インナーハウジング１０ａと、インナーハウジング１０ａを覆うアウターハウジング１０ｂとを有している。
インナーハウジング１０ａは、前後方向（図３に示す上下方向）に沿って貫通するコンタクト収容孔１１を複数有している。
【００１５】
図２に示すように、アウターハウジング１０ｂの上下方向（図４に示す上下方向）の両内側面には、それぞれ左右方向に沿って延びるスライダ収容溝１２が設けられている。そして、図１に示すように、各スライダ収容溝１２には、スライダ１３が収容されている。各スライダ１３は、解除位置（図１２参照）と嵌合位置（図８及び図１０参照）との間を左右方向に沿って自由に移動することができるようにスライダ収容溝１２に収容されている。
【００１６】
図４に示すように、アウターハウジング１０ｂの前面には、相手コネクタに設けられたカムピン（図示せず）が挿入されるカムピン挿入孔１４が４つ設けられている。各カムピン挿入孔１４は、各スライダ１３が解除位置に配置されているときのみ、各スライダ１３の各カム溝１３ａに連通するように設けられている。また、アウターハウジング１０ｂ前面には、後述する固定工具５０の検査ピン５１が挿入される検査孔１５が２つ設けられている。各検査孔１５は、各スライダ１３が嵌合位置に配置されているときのみ、各スライダ１３の左右方向の一端部側のカム溝１３ａに連通するように設けられている。アウターハウジング１０ｂの上面及び下面には、それぞれスライダ１３の凸部１３ｃが嵌合する第一仮留め孔１８及び第二仮留め孔１９が設けられている。各第一仮留め孔１８は、各スライダ１３が解除位置にあるときに、各スライダ１３の凸部１３ｃが嵌合するように設けられている。各第二仮留め孔１９は、各スライダ１３が嵌合位置にあるときに、各スライダ１３の凸部１３ｃが嵌合するように設けられている。
【００１７】
各スライダ１３（図８参照）は、平板状に形成され、左右方向に沿って延びている。各スライダ１３の内面には、相手コネクタに設けられたカムピンの引き込み及び押し出しを行うカム溝１３ａが左右方向に沿って２つ設けられている。また、各スライダ１３の背面側には、レバー３０のギヤ３２ｂが嵌合されるラック１３ｂ（図８参照）が設けられている。各スライダ１３の左右方向の他端部には、スライダ１３を解除位置又は嵌合位置で仮留めするための凸部１３ｃが設けられている。各スライダ１３は、凸部１３ｃがアウターハウジング１０ｂの第一仮留め孔１８に嵌合することによって、解除位置に仮留めされる。また、各スライダ１３は、凸部１３ｃがアウターハウジング１０ｂの第二仮留め孔１９に嵌合することによって、嵌合位置に仮留めされる。
【００１８】
レバー３０は、図１及び図２に示すように、一対の側板３２及びこれら両側板３２の一端を互いに連結する連結部３３を有している。両側板３２の他端部には、それぞれワイヤカバー２０の軸部２１が嵌合される軸受孔３２ａが設けられている。また、両側板３２の他端部の軸受孔３２ａの周りには、それぞれハウジング１０のラック１３ｂに嵌合するギヤ３２ｂが設けられている。
ワイヤカバー２０は、図１及び図２に示すように、ハウジング１０に収容されたコンタクトに接続されている電線（図示せず）を覆うようにほぼ箱形に形成されている。ワイヤカバー２０の上面及び下面の前端部には、それぞれレバー３０の軸受孔３２ａに嵌合する軸部２１が設けられている。
【００１９】
ワイヤカバー２０の左右方向の一方側には、第一抑止部２２が設けられている。また、ワイヤカバー２０の左右方向の他方側には、第二抑止部２３が設けられている。第一抑止部２２は、嵌合開始位置（図１参照）に配置されたレバー３０がそれ以上左右方向の一方側へ回転されることを抑止する。第二抑止部２３は、嵌合完了位置（図２参照）に配置されたレバー３０がそれ以上左右方向の他方側へ回転されることを抑止する。ワイヤカバー２０の左右方向の他端部には、ハウジング１０に収容されたコンタクトに接続されている電線を束ねた状態で導出させる電線引出口２４が設けられている。
【００２０】
ワイヤカバー２０の背面には、嵌合完了位置に配置されたレバー３０の左右方向の一方側への回転を阻止するロック部材２７が設けられている。ロック部材２７は、片持ち梁の板ばね状に形成され、嵌合完了位置に配置されたレバー３０の連結部３３の側面を係止することによってレバー３０の左右方向の一方側への回転を阻止する。ワイヤカバー２０の上面及び下面の一端部には、それぞれ嵌合開始位置に配置されたレバー３０の左右方向の他方側への回転を阻止するロック用凸部２８が設けられている。各ロック用凸部２８は、嵌合開始位置に配置されたレバー３０の各側板３２の側面を係止することによって、レバー３０の左右方向の他方側への回転を阻止する。
【００２１】
次に、レバー式コネクタ１の組み立てを行う際に使用する固定工具５０について説明する。
固定工具５０は、図５及び図６に示すように、ハウジング１０のインナーハウジング１０ａとアウターハウジング１０ｂとの間に挿入され、インナーハウジング１０ａを取り囲むフード部５２を有している。フード部５２は、前面側が開口する筒状に形成されている。フード部５２の上面及び下面には、それぞれアウターハウジング１０ｂの各検査孔１５に挿入される検査ピン５１が設けられている。
【００２２】
次に、レバー式コネクタ１の組み立て方法について説明する。
レバー式コネクタ１の組み立て工程には、スライダ１３が収容された状態のハウジング１０及びレバー３０が取り付けられた状態のワイヤカバー２０が搬入される。
ワイヤカバー２０は、レバー３０の破損を防止するために、レバー３０が嵌合完了位置に配置され、レバー３０がロック部材２７によって固定された状態で組み立て工程に搬入される。また、ハウジング１０は、各スライダ１３が嵌合位置に配置されて、各スライダ１３の凸部１３ｃが第二仮留め孔１９に嵌合した状態で組み立て工程に搬入される。これにより、レバー式コネクタ１の組み立て工程では、レバー３０が嵌合完了位置に配置された状態のワイヤカバー２０と各スライダ１３が嵌合位置に配置された状態のハウジング１０とを組み合わせれば、レバー３０の各ギヤ３２ｂと各スライダ１３のラック１３ｂとが正しく嵌合されるようになっている。
【００２３】
ここで、レバー式コネクタ１では、ハウジング１０内に収容されている各スライダ１３の位置を外観からは検知することができない構成を採用している。したがって、レバー式コネクタ１では、ハウジング１０の搬送時の衝撃等によってハウジング１０内の嵌合位置で仮留めされていたスライダ１３に位置ずれが発生した場合でも、該スライダ１３の位置ずれを外観から検知することができない。
そこで、本実施の形態では、ハウジング１０にコンタクトを収容する際に使用する固定工具５０を用いてハウジング１０におけるスライダ１３の位置ずれを検出する構成を採用している。
【００２４】
すなわち、レバー式コネクタ１を組み立てる際には、まず、ハウジング１０の複数のコンタクト収容孔１１に、それぞれコンタクトを収容する。そして、ハウジング１０のコンタクト収容孔１１へのコンタクトの収容は、ハウジング１０を固定工具５０に嵌合させた状態で行う。
ハウジング１０を固定工具５０に嵌合させるには、図７及び図８に示すように、ハウジング１０の前面と固定工具５０の枠状のフード部（嵌合部）５２の前面とを互いに向き合わせた状態で配置する。
【００２５】
そして、図９及び図１０に示すように、ハウジング１０のインナーハウジング１０ａを、固定工具５０のフード部５２の内側に挿入する。ここで、図１０に示すように、各スライダ１３がハウジング１０の嵌合位置にある場合には、アウターハウジング１０ｂの各検査孔１５が、各スライダ１３の左右方向の一端部側のカム溝１３ａに連通する。したがって、固定工具５０の各検査ピン５１が、アウターハウジング１０ｂの各検査孔１５を介して各スライダ１３の左右方向の一端部側のカム溝１３ａ内に挿入される。これによって、固定工具５０へのハウジング１０の嵌合が正しく完了する。
【００２６】
一方、図１１及び図１２に示すように、両スライダ１３のうち少なくとも一方がハウジング１０の嵌合位置にない場合（図１１及び図１２では、両スライダ１３がハウジング１０の解除位置にある場合を示す）には、嵌合位置にないスライダ１３の左右方向の一端部側のカム溝１３ａとアウターハウジング１０ｂの検査孔１５とが連通していない状態となる。したがって、固定工具５０の検査ピン５１の先端がスライダ１３の前端に接触してカム溝１３ａ内に挿入されないため、固定工具５０へのハウジング１０の嵌合を正しく行うことができない。
このように、レバー式コネクタ１によれば、ハウジング１０を固定工具５０に嵌合させる際に、ハウジング１０内におけるスライダ１３の位置ずれを検知することが可能となる。
【００２７】
次に、固定工具５０に正しく嵌合されたハウジング１０の複数のコンタクト収容孔１１に、それぞれコンタクトを収容する。
そして、複数のコンタクトが収容されたハウジング１０に、レバー３０が装着された状態のワイヤカバー２０を取り付ける。この場合、上述したように、ワイヤカバー２０では、レバー３０が嵌合完了位置に配置され、レバー３０がロック部材２７によって固定された状態となっている。また、固定工具５０に正しく嵌合されたハウジング１０では、各スライダ１３が嵌合位置に配置されて、各スライダ１３の凸部１３ｃが第二仮留め孔１９に嵌合した状態となっている。したがって、レバー３０が嵌合完了位置に配置された状態のワイヤカバー２０と各スライダ１３が嵌合位置に配置された状態のハウジング１０とを組み合わせることにより、レバー３０の各ギヤ３２ｂと各スライダ１３のラック１３ｂとが正しく嵌合される。なお、ハウジング１０へのワイヤカバー２０の取り付けが完了した状態では、ハウジング１０に収容された複数のコンタクトに接続されている電線が、束ねられた状態でワイヤカバー２０の電線引出口２４から導出される。
これにより、図２に示すように、ワイヤカバー２０がハウジング１０に取り付けられ、レバー式コネクタ１の組み立てが完了する。
そして、組み立てが完了したレバー式コネクタ１は、通電検査等が行われた後に、固定工具５０から取り外される。
【００２８】
次に、レバー式コネクタ１の作用について説明する。
レバー式コネクタ１では、ハウジング１０に対してレバー３０を回転させることによって、レバー３０のギヤ３２ｂがスライダ１３のラック１３ｂを駆動し、スライダ１３が左右方向に沿って移動される。そして、レバー３０を嵌合開始位置側（左右方向の一方側）に向かって回転させると、スライダ１３が解除位置側に向かって移動される。また、レバー３０を嵌合完了位置側（左右方向の他方側）に向かって回転させると、スライダ１３が嵌合位置側に向かって移動される。そして、レバー３０が嵌合開始位置に配置されているときには、スライダ１３は解除位置に配置される。また、レバー３０が嵌合完了位置に配置されているときには、スライダ１３は嵌合位置に配置される。
【００２９】
レバー式コネクタ１と相手コネクタとの嵌合を行う際には、まず、レバー３０を嵌合開始位置に配置する。レバー３０が嵌合開始位置に配置された状態のレバー式コネクタ１では、スライダ１３が解除位置に配置されることによって、アウターハウジング１０ｂの各カムピン挿入孔１４が、各スライダ１３の各カム溝１３ａに連通する。
そして、レバー３０が嵌合開始位置に配置された状態で、相手コネクタの各カムピンをアウターハウジング１０ｂの各カムピン挿入孔１４を介して各スライダ１３の各カム溝１３ａ内に挿入して、レバー式コネクタ１と相手コネクタとを仮嵌合する。
【００３０】
次に、ワイヤカバー２０のロック用凸部２８によるレバー３０のロックを解除し、嵌合開始位置に配置されているレバー３０を、嵌合完了位置側に向かって回転させる。レバー３０を嵌合完了位置側に向かって回転させると、スライダ１３が嵌合位置側に向かって移動されることによって、スライダ１３の複数のカム溝１３ａが、それぞれ相手コネクタに設けられたカムピンを背面側に向かって引き込んでいく。これにより、レバー式コネクタ１のインナーハウジング１０ａに収容されている複数のコンタクトが、それぞれ相手コネクタに収容されているコンタクトに嵌合される。
そして、レバー３０を嵌合完了位置に配置されることによって、スライダ１３が嵌合位置に配置され、レバー式コネクタ１と相手コネクタとの嵌合が完了する。なお、嵌合完了位置に配置されたレバー３０は、ワイヤカバー２０のロック部材２７によって嵌合開始位置側への回転が阻止された状態となっている。
【００３１】
一方、レバー式コネクタ１と相手コネクタとの嵌合を解除する際には、ワイヤカバー２０のロック部材２７によるレバー３０のロックを解除し、嵌合完了位置に配置されているレバー３０を、嵌合開始位置側に向かって回転させる。レバー３０を嵌合開始位置側に向かって回転させると、スライダ１３が解除位置側に向かって移動されることによって、スライダ１３の複数のカム溝１３ａが、それぞれ相手コネクタに設けられたカムピンを前面側に向かって押し出していく。これにより、レバー式コネクタ１のインナーハウジング１０ａに収容されているコンタクトと相手コネクタに収容されているコンタクトとの嵌合が解除される。
そして、レバー３０を嵌合開始位置まで回転させると、レバー式コネクタ１と相手コネクタとの嵌合の解除が完了する。
【００３２】
以上、本発明の実施の形態について説明したが、上記実施の形態では、種々の変更を行うことが可能である。
例えば、上記実施の形態では、固定工具５０によってスライダ１３の位置ずれを検知する構成を採用しているが、検知用のピン等をアウターハウジング１０ｂの検査孔１５に挿入することによってスライダ１３の位置ずれを検知する構成でも構わない。
【図面の簡単な説明】
【００３３】
【図１】本発明の実施形態であるレバー式コネクタのレバーが嵌合開始位置に配置された状態を示す斜視図である。
【図２】図１に示すレバー式コネクタのレバーが嵌合完了位置に配置された状態を示す斜視図である。
【図３】図１に示すレバー式コネクタのハウジングの平面図である。
【図４】図３に示すハウジングの正面図である。
【図５】レバー式コネクタのハウジングに嵌合される固定工具の正面図である。
【図６】図５に示す固定工具の平面図である。
【図７】スライダが嵌合位置にあるハウジング及び固定工具を示す斜視図である。
【図８】図７に示すハウジング及び固定工具の断面図である。
【図９】スライダが嵌合位置にあるハウジングに固定工具が嵌合された状態を示す斜視図である。
【図１０】図９に示すハウジング及び固定工具の断面図である。
【図１１】スライダが解除位置にあるハウジングに固定工具が嵌合された状態を示す斜視図である。
【図１２】図１１に示すハウジング及び固定工具の断面図である。
【図１３】従来のレバー式コネクタの断面図である。
【符号の説明】
【００３４】
１  レバー式コネクタ
１０  ハウジング
１０ａ  インナーハウジング
１０ｂ  アウターハウジング
１１  コンタクト収容孔
１２  スライダ収容溝
１３  スライダ
１３ａ  カム溝
１３ｂ  ラック
１３ｃ  凸部（仮留め機構）
１４  カムピン挿入孔
１５  検査孔
１８  第一仮留め孔（仮留め機構）
１９  第二仮留め孔（仮留め機構）
２０  ワイヤカバー
２１  軸部
２２  第一抑止部
２３  第二抑止部
２４  電線引出口
２７  ロック部材
２８  ロック用凸部
３０  レバー
３２  側板
３２ａ  軸受孔
３２ｂ  ギヤ
３３  連結部
５０  固定工具
５１  検査ピン
５２  フード部
【図１】
0004382134.tif 000002
【図２】
0004382134.tif 000003
【図３】
0004382134.tif 000004
【図４】
0004382134.tif 000005
【図５】
0004382134.tif 000006
【図６】
0004382134.tif 000007
【図７】
0004382134.tif 000008
【図８】
0004382134.tif 000009
【図９】
0004382134.tif 000010
【図１０】
0004382134.tif 000011
【図１１】
0004382134.tif 000012
【図１２】
0004382134.tif 000013
【図１３】
0004382134.tif 000014